(57)【要約】【課題】多方向の入力に対応しつつ、少ない数のスイッチで、ばらつきの少ない操作感触を操作者に付与できる入力装置を提供する。【解決手段】ノブ１１０と、方向Ｄ２への第１移動、または、方向Ｄ３への第２移動によってオンとなるスイッチ１６１と、第１移動によってオンとなるスイッチ１７１と、第２移動によってオンとなるスイッチ１７３と、制御回路１８０と、を備え、スイッチ１６１を含む第１グループは、押圧されるとクリック感を付与するスイッチにより構成され、スイッチ１７１、１７３を含む第２グループは、押圧にされてもクリック感を付与しないスイッチにより構成され、制御回路は、スイッチ１６１、１７１がオンとなった場合に移動方向が方向Ｄ２であると特定し、信号Ｓ１を出力し、スイッチ１６１、１７３がオンとなった場合に移動方向が方向Ｄ３であると特定し、信号Ｓ３を出力する。【選択図】図４
2020119779.tif 000002
【特許請求の範囲】
【請求項１】
所定の平面に平行な複数の方向において移動自在であるノブと、
基準位置から第１方向への前記ノブの移動である第１移動、または、前記基準位置から前記第１方向とは異なる第２方向への前記ノブの移動である第２移動によってオンとなる第１スイッチと、
前記第１移動および前記第２移動のうちの前記第１移動のみによってオンとなる第２スイッチと、
前記第１移動および前記第２移動のうちの前記第２移動のみによってオンとなる第３スイッチと、
前記第１スイッチ、前記第２スイッチおよび前記第３スイッチに電気的に接続されている制御回路と、を備え、
前記第１スイッチを含む第１グループは、前記ノブの移動によって押圧されると前記ノブにクリック感を付与するスイッチにより構成され、
前記第２スイッチおよび前記第３スイッチを含む第２グループは、前記ノブの移動によって押圧にされても前記ノブにクリック感を付与しないスイッチにより構成され、
前記制御回路は、（ｉ）前記第１スイッチおよび前記第２スイッチがオンとなった場合に前記ノブの移動方向が前記第１方向であると特定し、第１信号を出力し、（ｉｉ）前記第１スイッチおよび前記第３スイッチがオンとなった場合に前記ノブの移動方向が前記第２方向であると特定し、第２信号を出力する
入力装置。
【請求項２】
前記第１スイッチは、前記第１方向および前記第２方向を含む、前記所定の平面における複数の方向のうちの全ての方向への前記ノブの移動によってオンとなり、
前記第２グループは、さらに、
前記複数の方向のうち前記第１方向および前記第２方向とは異なる第３方向への前記ノブの移動である第３移動によってオンとなる第４スイッチと、
前記複数の方向のうち前記第１方向、前記第２方向および前記第３方向とは異なる第４方向への前記ノブの移動である第４移動によってオンとなる第５スイッチとを含み、
前記制御回路は、さらに、（ｉ）前記第１スイッチおよび前記第４スイッチがオンとなった場合に前記ノブの移動方向が前記第３方向であると特定し、第３信号を出力し、（ｉｉ）前記第１スイッチおよび前記第５スイッチがオンとなった場合に前記ノブの移動方向が前記第４方向であると特定し、第４信号を出力する
請求項１に記載の入力装置。
【請求項３】
前記第１グループは、さらに、前記第１方向および前記第２方向とは異なる第３方向への前記ノブの移動である第３移動、および、前記第１方向、前記第２方向および前記第３方向とは異なる第４方向への前記ノブの移動である第４移動によってオンとなる第４スイッチを含み、
前記第２スイッチは、さらに、前記第３移動および前記第４移動のうちの前記第３移動のみによってオンとなり、
前記第３スイッチは、さらに、前記第３移動および前記第４移動のうちの前記第４移動のみによってオンとなり、
前記制御回路は、さらに、（ｉ）前記第４スイッチおよび前記第２スイッチがオンとなった場合に前記ノブの移動方向が前記第３方向であると特定し、第３信号を出力し、（ｉｉ）前記第４スイッチおよび前記第３スイッチがオンとなった場合に前記ノブの移動方向が前記第４方向であると特定し、第４信号を出力する
請求項１に記載の入力装置。
【請求項４】
前記第１スイッチは、前記第３移動および前記第４移動によってオンとならず、
前記第４スイッチは、前記第１移動および前記第２移動によってオンとならない
請求項３に記載の入力装置。
【請求項５】
前記押圧されるとクリック感を付与する前記スイッチは、ドームスイッチである
請求項１から４のいずれか１項に記載の入力装置。
【請求項６】
前記押圧されても前記クリック感を付与しない前記スイッチは、ラバースイッチである
請求項１から５のいずれか１項に記載の入力装置。
【請求項７】
前記ノブは、さらに、前記所定の平面に対して垂直な方向に移動自在であり、
前記第１グループに含まれるスイッチは、前記垂直な方向への前記ノブの移動によってオンとなり、
前記第２グループに含まれるスイッチは、前記複数の方向への前記ノブの移動によってオンとなり、前記垂直な方向への前記ノブの移動によってオンとならず、
前記制御回路は、前記第１グループに含まれるスイッチがオンになり、かつ、前記第２グループに含まれるスイッチがオフのままである場合、前記ノブの移動方向が前記垂直な方向であると特定し、第５信号を出力する
請求項１から６のいずれか１項に記載の入力装置。
【請求項８】
さらに、
前記第１グループに含まれるスイッチと、前記第２グループに含まれるスイッチとが実装されている１枚の基板を備える
請求項１から７のいずれか１項に記載の入力装置。
【発明の詳細な説明】
【技術分野】
【０００１】
本開示は、入力装置に関する。
【背景技術】
【０００２】
特許文献１には、操作性及び操作感触を良好にするために、ある方向の入力に対応して、クリック生成型ゴム接点と、無クリック型ゴム接点とが接点オンとなる構成の多方向スイッチが開示されている。
【先行技術文献】
【特許文献】
【０００３】
【特許文献１】特開２０１１−４４３０４号公報
【発明の概要】
【発明が解決しようとする課題】
【０００４】
しかしながら、特許文献１に開示されている多方向スイッチでは、一方向につき２つの接点が必要となるため、多くの接点、つまりスイッチが必要となる。このため、対応する入力の方向が増えるほど、スイッチの数を増加させる必要があり、装置が大型化し、全ての方向で操作感触を揃えることが難しい。
【０００５】
そこで、本開示は、多方向の入力に対応しつつ、少ない数のスイッチで、ばらつきの少ない操作感触を操作者に付与できる入力装置を提供する。
【課題を解決するための手段】
【０００６】
本開示の一態様に係る入力装置は、所定の平面に平行な複数の方向において移動自在であるノブと、基準位置から第１方向への前記ノブの移動である第１移動、または、前記基準位置から前記第１方向とは異なる第２方向への前記ノブの移動である第２移動によってオンとなる第１スイッチと、前記第１移動および前記第２移動のうちの前記第１移動のみによってオンとなる第２スイッチと、前記第１移動および前記第２移動のうちの前記第２移動のみによってオンとなる第３スイッチと、前記第１スイッチ、前記第２スイッチおよび前記第３スイッチに電気的に接続されている制御回路と、を備え、前記第１スイッチを含む第１グループは、前記ノブの移動によって押圧されると前記ノブにクリック感を付与するスイッチにより構成され、前記第２スイッチおよび前記第３スイッチを含む第２グループは、前記ノブの移動によって押圧にされても前記ノブにクリック感を付与しないスイッチにより構成され、前記制御回路は、（ｉ）前記第１スイッチおよび前記第２スイッチがオンとなった場合に前記ノブの移動方向が前記第１方向であると特定し、第１信号を出力し、（ｉｉ）前記第１スイッチおよび前記第３スイッチがオンとなった場合に前記ノブの移動方向が前記第２方向であると特定し、第２信号を出力する。
【発明の効果】
【０００７】
本開示の入力装置は、多方向の入力に対応しつつ、少ない数のスイッチで、良好な操作感触を操作者に付与できる。
【図面の簡単な説明】
【０００８】
【図１】図１は、実施の形態１に係るステアリング入力装置が配置された車両の車室の一例を示す図である。
【図２】図２は、実施の形態１に係るステアリング入力装置の使用例を示す図である。
【図３】図３は、実施の形態１に係る入力装置の外観斜視図である。
【図４】図４は、実施の形態１に係る入力装置の分解斜視図である。
【図５】図５は、Ｚ軸プラス方向に見た場合の、スライドプレートおよびスライドアームの構成を示す図である。
【図６】図６は、Ｚ軸マイナス方向に見た場合の、スライドアームおよび支持部材の構成を示す図である。
【図７】図７は、図３におけるＶＩＩ−ＶＩＩ断面図である。
【図８】図８は、図７におけるスイッチ付近の領域Ａ１を拡大した図であり、スイッチがオンとなる様子を説明するための図である。
【図９】図９は、実施の形態１における、スライドプレートの８つの突出部と、スイッチとの関係を説明するための図である。
【図１０】図１０は、方向Ｄ１〜Ｄ８と、Ｘ軸方向およびＹ軸方向との関係を説明するための図である。
【図１１】図１１は、スライドプレートが方向Ｄ７に移動した場合にオンになるスイッチを示す図である。
【図１２】図１２は、実施の形態１における、入力方向と、オンとなるスイッチの組合せとの関係を示すテーブルである。
【図１３】図１３は、入力装置の機能構成を示すブロック図である。
【図１４】図１４は、実施の形態１の変形例における、スライドプレートの８つの突出部と、スイッチとの関係を説明するための図である。
【図１５】図１５は、実施の形態１の変形例１における、入力方向と、オンとなるスイッチの組合せとの関係を示すテーブルである。
【図１６】図１６は、実施の形態２に係る入力装置の分解斜視図である。
【図１７】図１７は、実施の形態２に係る入力装置の、図３における入力装置のＸＶＩＩ−ＸＶＩＩ断面図に対応する断面図である。
【図１８】図１８は、図１９におけるスイッチ付近の領域Ａ２を拡大した図であり、スライドプレートが方向Ｄ５（Ｙ軸マイナス方向）に移動してスイッチがオンとなる様子を説明するための図である。
【図１９】図１９は、実施の形態２に係る入力装置の、図３における入力装置のＸＩＸ−ＸＩＸ断面図に対応する断面図である。
【図２０】図２０は、図１９におけるスイッチ付近の領域Ａ３を拡大した図であり、スライドプレートが方向Ｄ４に移動してもスイッチがオンとならない様子を説明するための図である。
【図２１】図２１は、実施の形態２における、スライドプレートの４つの突出部と、スイッチとの関係を説明するための図である。
【図２２】図２２は、スライドプレートが方向Ｄ１に移動した場合にオンになるスイッチを示す図である。
【図２３】図２３は、実施の形態２における、入力方向と、オンとなるスイッチの組合せとの関係を示すテーブルである。
【発明を実施するための形態】
【０００９】
本開示の一態様に係る入力装置は、所定の平面に平行な複数の方向において移動自在であるノブと、基準位置から第１方向への前記ノブの移動である第１移動、または、前記基準位置から前記第１方向とは異なる第２方向への前記ノブの移動である第２移動によってオンとなる第１スイッチと、前記第１移動および前記第２移動のうちの前記第１移動のみによってオンとなる第２スイッチと、前記第１移動および前記第２移動のうちの前記第２移動のみによってオンとなる第３スイッチと、前記第１スイッチ、前記第２スイッチおよび前記第３スイッチに電気的に接続されている制御回路と、を備え、前記第１スイッチを含む第１グループは、前記ノブの移動によって押圧されると前記ノブにクリック感を付与するスイッチにより構成され、前記第２スイッチおよび前記第３スイッチを含む第２グループは、前記ノブの移動によって押圧にされても前記ノブにクリック感を付与しないスイッチにより構成され、前記制御回路は、（ｉ）前記第１スイッチおよび前記第２スイッチがオンとなった場合に前記ノブの移動方向が前記第１方向であると特定し、第１信号を出力し、（ｉｉ）前記第１スイッチおよび前記第３スイッチがオンとなった場合に前記ノブの移動方向が前記第２方向であると特定し、第２信号を出力する。
【００１０】
これによれば、ノブを第１方向へ移動させることにより第２スイッチへの入力が行われても、第２方向へ移動させることにより第３スイッチへの入力が行われても、ノブにクリック感を付与する第１スイッチがオンとなる。が付与される。このため、操作者は、ノブを第１方向に移動させたときも、第２方向に移動させたときも、第１スイッチから付与されたクリック感をノブから受ける。また、異なる２方向への入力を、３つのスイッチで受け付ける。よって、入力装置は、異なる方向への入力を受け付けた場合であっても、少ない数のスイッチで、操作者に良好な操作感触を付与することができるとともに、操作者にばらつきの少ない操作感触を付与することができる。
【００１１】
また、前記第１スイッチは、前記第１方向および前記第２方向を含む、前記所定の平面における複数の方向のうちの全ての方向への前記ノブの移動によってオンとなり、前記第２グループは、さらに、前記複数の方向のうち前記第１方向および前記第２方向とは異なる第３方向への前記ノブの移動である第３移動によってオンとなる第４スイッチと、前記複数の方向のうち前記第１方向、前記第２方向および前記第３方向とは異なる第４方向への前記ノブの移動である第４移動によってオンとなる第５スイッチとを含み、前記制御回路は、さらに、（ｉ）前記第１スイッチおよび前記第４スイッチがオンとなった場合に前記ノブの移動方向が前記第３方向であると特定し、第３信号を出力し、（ｉｉ）前記第１スイッチおよび前記第５スイッチがオンとなった場合に前記ノブの移動方向が前記第４方向であると特定し、第４信号を出力してもよい。
【００１２】
これによれば、異なる４方向への入力を、５つのスイッチで受け付ける。よって、入力装置は、異なる方向への入力を受け付けた場合であっても、少ない数のスイッチで、操作者に良好な操作感触を付与することができる。
【００１３】
また、前記第１グループは、さらに、前記第１方向および前記第２方向とは異なる第３方向への前記ノブの移動である第３移動、および、前記第１方向、前記第２方向および前記第３方向とは異なる第４方向への前記ノブの移動である第４移動によってオンとなる第４スイッチを含み、前記第２スイッチは、さらに、前記第３移動および前記第４移動のうちの前記第３移動のみによってオンとなり、前記第３スイッチは、さらに、前記第３移動および前記第４移動のうちの前記第４移動のみによってオンとなり、前記制御回路は、さらに、（ｉ）前記第４スイッチおよび前記第２スイッチがオンとなった場合に前記ノブの移動方向が前記第３方向であると特定し、第３信号を出力し、（ｉｉ）前記第４スイッチおよび前記第３スイッチがオンとなった場合に前記ノブの移動方向が前記第４方向であると特定し、第４信号を出力してもよい。
【００１４】
これによれば、異なる４方向への入力を、４つのスイッチで受け付ける。よって、入力装置は、異なる方向への入力を受け付けた場合であっても、少ない数のスイッチで、操作者に良好な操作感触を付与することができる。
【００１５】
また、前記第１スイッチは、前記第３移動および前記第４移動によってオンとならず、前記第４スイッチは、前記第１移動および前記第２移動によってオンとならなくてもよい。
【００１６】
このため、異なる４方向への入力を、容易に特定することができる。
【００１７】
また、前記押圧されるとクリック感を付与する前記スイッチは、ドームスイッチであってもよい。
【００１８】
このため、クリック感を付与するスイッチを容易に実現することができる。
【００１９】
また、前記押圧されても前記クリック感を付与しない前記スイッチは、ラバースイッチであってもよい。
【００２０】
このため、クリック感を付与しないスイッチを容易に実現することができる。
【００２１】
また、前記ノブは、さらに、前記所定の平面に対して垂直な方向に移動自在であり、前記第１グループに含まれるスイッチは、前記垂直な方向への前記ノブの移動によってオンとなり、前記第２グループに含まれるスイッチは、前記複数の方向への前記ノブの移動によってオンとなり、前記垂直な方向への前記ノブの移動によってオンとならず、前記制御回路は、前記第１グループに含まれるスイッチがオンになり、かつ、前記第２グループに含まれるスイッチがオフのままである場合、前記ノブの移動方向が前記垂直な方向であると特定し、第５信号を出力してもよい。
【００２２】
このため、さらに、異なる方向への入力を受け付けることができる。
【００２３】
また、さらに、前記第１グループに含まれるスイッチと、前記第２グループに含まれるスイッチとが実装されている１枚の基板を備えてもよい。
【００２４】
このため、簡単な構成で実現することができる。
【００２５】
以下、本開示の一態様に係る入力装置について、図面を参照しながら具体的に説明する。
【００２６】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２７】
（実施の形態１）
［１．構成］
［１−１．ステアリング入力装置の構成］
まず、図１及び図２を参照しながら、実施の形態１に係るステアリング入力装置２の構成について説明する。図１は、実施の形態１に係るステアリング入力装置２が配置された車両の車室の一例を示す図である。図２は、実施の形態１に係るステアリング入力装置２の使用例を示す図である。
【００２８】
図１に示す自動車４（車両の一例）の車室には、ステアリング入力装置２及び車載機器６が搭載されている。実施の形態１に係るステアリング入力装置２は、ステアリングホイール８及び入力装置１００を備えている。
【００２９】
ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。
【００３０】
入力装置１００は、車載機器６を操作するためのものであり、例えばステアリングホイール８のスポーク１４に配置されている。図２に示すように、操作者である運転者は、リム１２を握っている右手の指１８（操作物体の一例）で入力装置１００に対して入力を行うことにより、車載機器６を操作することができる。入力装置１００の構成については後で詳述する。
【００３１】
車載機器６は、例えばコンパクトディスク等の光ディスクを再生するためのオーディオ機器である。車載機器６は、例えばダッシュボード２０内に配置されている。
【００３２】
［１−２．入力装置の構成］
次に、図３〜図１２を参照しながら、実施の形態１に係る入力装置１００の構成について説明する。
【００３３】
図３は、実施の形態１に係る入力装置１００の外観斜視図である。図４は、実施の形態１に係る入力装置１００の分解斜視図である。
【００３４】
図３および図４に示すように、実施の形態１に係る入力装置１００は、操作部材１１１と、カバー１１２と、スライドプレート１１３と、スライドアーム１１４と、支持部材１１５と、基板１１６と、締結部材１１７とを備える。操作部材１１１と、スライドプレート１１３とは、基板１１６に対して、ＸＹ平面に平行な複数の方向において移動自在であるノブ１１０を構成している。なお、ＸＹ平面は、所定の平面の一例である。
【００３５】
なお、入力装置１００は、図１および図２に示すように、ノブ１１０が自動車４の前後方向に延びる向きに配置されている。このため、以降の図では、自動車４の前後方向をＺ軸方向とし、自動車４の上下方向をＸ軸方向とし、自動車４の左右方向をＹ軸方向として説明する。なお、入力装置１００が自動車４に対して取り付けられる向きは、上記に限らずに、どのような向きで配置されていてもよい。また、各図において、Ｘ軸の矢印の先が指す方向をＸ軸プラス方向とし、その反対方向をＸ軸マイナス方向とする。同様に、Ｙ軸の矢印の先が指す方向をＹ軸プラス方向とし、その反対方向をＹ軸マイナス方向とする。同様に、Ｚ軸の矢印の先が指す方向をＺ軸プラス方向とし、その反対方向をＺ軸マイナス方向とする。
【００３６】
操作部材１１１は、Ｚ軸方向の延びる略円柱形状の部材であり、操作者の手、指などによる操作を受け付けるためのつまみである。操作部材１１１は、例えば、樹脂などにより構成される。
【００３７】
カバー１１２は、操作部材１１１よりもＺ軸マイナス方向側に配置され、基板１１６よりもＺ軸プラス方向側に配置された、スライドプレート１１３、スライドアーム１１４および支持部材１１５を覆う部材である。具体的には、カバー１１２は、スライドプレート１１３、スライドアーム１１４および支持部材１１５のＺ軸プラス方向側を覆い、かつ、Ｚ軸方向から見た場合にこれらの部材の側方を覆う有底円筒形状の部材である。カバー１１２は、例えば、樹脂などにより構成される。
【００３８】
スライドプレート１１３は、支持部材１１５に対してＸＹ平面に平行な複数の方向において移動自在な板状の部材である。スライドプレート１１３は、操作部材１１１との間でカバー１１２を挟んだ状態で、操作部材１１１に固定されている。なお、カバー１１２には、スライドプレート１１３の操作部材１１１が接続される接続部位が貫通する開口部が設けられている。開口部は、スライドプレート１１３がＸＹ平面に平行な方向に移動しても、スライドプレート１１３の接続部位の移動に干渉しない程度に、接続部位よりも大きい。スライドプレート１１３は、例えば、樹脂などにより構成される。
【００３９】
スライドアーム１１４は、Ｘ軸両方向およびＹ軸両方向にそれぞれ突出するアーム１４１〜１４４を有する略十字形状の部材である。スライドアーム１１４は、スライドプレート１１３に対してＸ軸方向に相対的に移動自在な部材である。また、スライドアーム１１４は、支持部材１１５に対してＹ軸方向に相対的に移動自在な部材である。スライドアーム１１４は、例えば、樹脂などにより構成される。
【００４０】
支持部材１１５は、基板１１６に対して固定され、スライドアーム１１４の動きを直線移動に規制する部材である。また、支持部材１１５は、有底円筒形状の部材であり、支持部材１１５の略円筒形状の側壁の外側には、カバー１１２の略円筒形状の側壁が固定される。支持部材１１５は、例えば、樹脂などにより構成される。
【００４１】
基板１１６は、スイッチ１６１、１７１〜１７８および制御回路１８０を有する配線基板である。スイッチ１６１、１７１〜１７８は、１枚の基板１１６の前面側（Ｚ軸プラス方向側）の主面に実装されている。なお、制御回路１８０は、基板１１６に実装されていなくてもよく、他の基板に実装されていてもよい。この場合、基板１１６と他の基板とは、通信可能に電気的に接続されている。
【００４２】
スイッチ１６１は、押圧されるとオンとなり、押圧が解除されるとオフとなるスイッチである。以下、スイッチは、ＳＷとも表記する。また、スイッチ１６１は、押圧されると、押圧の主体となった部材にクリック感を付与するスイッチにより構成される。スイッチ１６１は、第１スイッチの一例であり、第１グループに含まれる。スイッチ１６１は、例えば、ドームスイッチである。ドームスイッチは、例えば、金属により構成されてもよいし、樹脂により構成されていてもよい。なお、スイッチ１６１は、ドームスイッチに限らずに、押圧されると押圧の主体となった部材にクリック感を付与するスイッチであればどのようなスイッチであってもよい。
【００４３】
スイッチ１７１〜１７８は、押圧されるとオンとなり、押圧が解除されるとオフとなるスイッチである。また、スイッチ１７１〜１７８は、押圧されても、押圧の主体となった部材にクリック感を付与しないスイッチにより構成される。スイッチ１７１〜１７８のうちの４つは、それぞれ、第２〜第５スイッチの一例であり、第２グループに含まれる。スイッチ１７１〜１７８は、例えば、ラバースイッチである。なお、スイッチ１７１〜１７８は、ラバースイッチに限らずに、押圧されても押圧の主体となった部材にクリック感を付与しないスイッチであればどのようなスイッチであってもよい。
【００４４】
締結部材１１７は、支持部材１１５および基板１１６を互いに固定する部材である。締結部材１１７は、例えば、ボルトであり、基板１１６に設けられた貫通孔を貫通した状態で、支持部材１１５に設けられたインサートナットと螺合することで、支持部材１１５および基板１１６を互いに固定する。
【００４５】
次に、スライドプレート１１３およびスライドアーム１１４の具体的な構成およびこれらの関係について、図５を用いて具体的に説明する。図５は、Ｚ軸プラス方向に見た場合の、スライドプレート１１３およびスライドアーム１１４の構成を示す図である。
【００４６】
スライドプレート１１３は、図５に示すように、Ｚ軸マイナス方向に突出している、８つの突出部１３５ａ〜１３５ｈを有する。また、スライドプレート１１３は、Ｚ軸マイナス方向側の面に溝部１３１、１３２、１３３、１３４を有する。溝部１３１、１３２は、Ｙ軸方向に延びており、スライドアーム１１４のＹ軸両方向に延びるアーム１４１、１４３が収容される。溝部１３１、１３２のＸ軸方向の幅は、アーム１４１、１４３のＸ軸方向の幅よりも大きい。このため、スライドアーム１１４は、図５の白抜き矢印で示すように、スライドプレート１１３に対してＸ軸方向に移動自在である。また、このため、スライドアーム１１４のＸ軸方向への移動は、溝部１３１、１３２により所定の幅で規制される。
【００４７】
一方で、溝部１３３、１３４は、Ｘ軸方向に延びており、スライドアーム１１４のＸ軸両方向に延びるアーム１４２、１４４が収容される。溝部１３３、１３４のＹ軸方向の幅は、アーム１４２、１４４のＹ軸方向の幅と同等である。このため、スライドアーム１１４は、Ｙ軸方向への移動が溝部１３３、１３４によって規制され、かつ、回転方向の移動が溝部１３３、１３４によって規制される。よって、スライドアーム１１４は、スライドプレート１１３に対して相対的に、Ｙ軸方向に移動せず、回転方向にも移動しない。
【００４８】
次に、スライドアーム１１４および支持部材１１５の具体的な構成およびこれらの関係について、図６を用いて具体的に説明する。図６は、Ｚ軸マイナス方向に見た場合の、スライドアーム１１４および支持部材１１５の構成を示す図である。
【００４９】
支持部材１１５は、Ｚ軸プラス方向側の面に溝部１５１、１５２、１５３、１５４を有する。溝部１５１、１５２は、Ｙ軸方向に延びており、スライドアーム１１４のＹ軸両方向に延びるアーム１４１、１４３が収容される。溝部１５１、１５２のＸ軸方向の幅は、アーム１４１、１４３のＸ軸方向の幅と同等である。このため、スライドアーム１１４は、Ｘ軸方向への移動が溝部１５１、１５２によって規制され、かつ、回転方向の移動が溝部１５１、１５２によって規制される。よって、スライドアーム１１４は、支持部材１１５に対して相対的に、Ｘ軸方向に移動せず、回転方向にも移動しない。
【００５０】
一方で、溝部１５３、１５４は、Ｘ軸方向に延びており、スライドアーム１１４のＸ軸両方向に延びるアーム１４２、１４４が収容される。溝部１５３、１５４のＹ軸方向の幅は、アーム１４２、１４４のＹ軸方向の幅よりも大きい。このため、スライドアーム１１４は、図６の白抜き矢印で示すように、支持部材１１５に対してＹ軸方向に移動自在である。また、このため、スライドアーム１１４のＹ軸方向への移動は、溝部１５３、１５４により所定の幅で規制される。
【００５１】
このように、スライドアーム１１４は、スライドプレート１１３に対してＸ軸方向に相対的に移動自在であり、かつ、支持部材１１５に対してＹ軸方向に相対的に移動自在であるため、スライドプレート１１３は、支持部材１１５に対して、ＸＹ平面で移動自在である。また、操作部材１１１は、スライドプレート１１３に対して固定されており、支持部材１１５は、基板１１６に対して固定されている。このため、操作部材１１１は、スライドプレート１１３、スライドアーム１１４および支持部材１１５により、基板１１６に対して相対的にＸＹ平面に平行な複数の方向において移動自在となっている。
【００５２】
なお、図示していないが、ノブ１１０は、操作者によって操作されていない場合、基準位置に戻るように付勢されていてもよい。つまり、ノブ１１０は、操作者からの操作を受け付けることで基準位置からＸＹ平面上のいずれかの方向へ移動された後で、操作者からの操作を受け付けない状態となると、基準位置に戻ってもよい。
【００５３】
次に、断面図を用いて、スイッチ１６１がオンとなる原理について説明する。図７は、図３におけるＶＩＩ−ＶＩＩ断面図である。図８は、図７におけるスイッチ１６１付近の領域Ａ１を拡大した図であり、スイッチ１６１がオンとなる様子を説明するための図である。なお、図７は、入力装置３００において、ＹＺ平面でスイッチ１６１の位置を切断した場合の断面図である。
【００５４】
図７および図８の（ａ）に示すように、操作部材１１１が固定されているスライドプレート１１３は、略有底円筒形状にＺ軸プラス方向に突出する突出部１３６を有する。突出部１３６の内方の空間には、スライドプレート１１３の動きに応じてスイッチ１６１を押圧するための押圧部材１５６と、押圧部材１５６をＺ軸マイナス方向に付勢するバネ１５７とが収容されている。押圧部材１５６は、突出部１３６の略円柱形状の空間と同程度の円柱形状の円柱部１５６ａと、円柱部１５６ａからＺ軸プラス方向に延びる軸部１５６ｂと、円柱部１５６ａからＺ軸マイナス方向に突出する略三角錐形状の突起部１５６ｃとを有する。バネ１５７は、らせん状に形成されたコイルバネであり、軸部１５６ｂに貫通されている。バネ１５７は、突出部１３６のＺ軸プラス方向側の底部と、円柱部１５６ａとにＺ軸方向で挟まれている。また、突出部１３６のＺ軸プラス方向側の底部には、軸部１５６ｂが貫通する貫通孔１３６ａが形成されている。このため、押圧部材１５６が突出部１３６の内部でＺ軸プラス方向に移動すると、バネ１５７によりＺ軸マイナス方向に押し戻される。
【００５５】
押圧部材１５６のＺ軸マイナス方向には、介在部１５８と、スイッチ１６１とが順に配置されている。介在部１５８は、略円柱形状であり、スイッチ１６１のＺ軸プラス方向に配置され、Ｚ軸プラス方向の面に断面が逆Ｖ字形状の穴部１５８ａを有する。穴部１５８ａは、略円錐形状の空間を形成している。穴部１５８ａには、押圧部材１５６の突起部１５６ｃが嵌まり込んでいる。また、介在部１５８は、支持部材１１５によって、ＸＹ平面上の移動を規制されている。
【００５６】
この状態において操作部材１１１がＹ軸マイナス方向に移動した場合、図８の（ｂ）に示すように、操作部材１１１に固定されているスライドプレート１１３もＹ軸マイナス方向に移動する。これにより、押圧部材１５６の突起部１５６ｃは、介在部１５８の穴部１５８ａから出て穴部１５８ａの周囲の面に当接する。つまり、突起部１５６ｃは、介在部１５８の穴部１５８ａよりも高い面に当接する。このため、押圧部材１５６は、介在部１５８をＺ軸マイナス方向に押し込むこととなり、スイッチ１６１は、押圧されてオンとなる。
【００５７】
なお、図８の（ｂ）では、操作部材１１１がＹ軸マイナス方向に移動した場合を例に説明したが、介在部１５８の穴部１５８ａは、略円錐形状の空間を形成しているため、ＸＹ平面上のどの方向に移動した場合であっても、同様にスイッチ１６１は押圧されてオンとなる。つまり、スイッチ１６１は、ＸＹ平面における複数の方向のうちの全ての方向へのノブ１１０の移動によってオンとなる。なお、基準位置とは、図８の（ａ）で示すスライドプレート１１３の位置である。つまり、基準位置とは、押圧部材１５６の突起部１５６ｃが介在部１５８の穴部１５８ａに嵌まり込む位置である。
【００５８】
なお、介在部１５８とスイッチ１６１とは、一体であってもよい。つまり、スイッチ１６１は、介在部１５８のＺ軸プラス方向の部位の形状を有している構成であれば、介在部１５８はなくてもよい。
【００５９】
次に、スライドプレート１１３と基板１１６との関係について説明する。
【００６０】
図９は、実施の形態１における、スライドプレート１１３の８つの突出部１３５ａ〜１３５ｈと、スイッチ１７１〜１７８との関係を説明するための図である。図１０は、方向Ｄ１〜Ｄ８と、Ｘ軸方向およびＹ軸方向との関係を説明するための図である。図１１は、スライドプレート１１３が方向Ｄ７に移動した場合にオンになるスイッチを示す図である。
【００６１】
図９に示すように、８つの突出部１３５ａ〜１３５ｈは、それぞれ、スイッチ１７１〜１７８に１対１で対応している。具体的には、突出部１３５ａ〜１３５ｈは、それぞれ、スイッチ１７１〜１７８を押圧することで各スイッチをオンにするための部位である。例えば、スライドプレート１１３は、図１１に示すように、図１０で示す方向Ｄ７に移動すると、スイッチ１７６、１７７が押圧されてオンとなる。また、上述したように、ＸＹ平面上のどの方向にスライドプレート１１３が移動してもスイッチ１６１はオンとなるため、スライドプレート１１３が方向Ｄ７に移動した場合においてもスイッチ１６１はオンとなる。
【００６２】
図１０に示す方向Ｄ１〜Ｄ８へのスライドプレート１１３の移動によって、オンとなるスイッチの組合せは、図１２に示される。図１２は、実施の形態１における、入力方向と、オンとなるスイッチの組合せとの関係を示すテーブルである。つまり、スライドプレート１１３が移動した方向は、図１２に示すように、スイッチ１７１〜１７８のうちでオンになった２つのスイッチの組合せで特定することができる。なお、図１２で示されるテーブルは、オンとなるスイッチの組合せ以外のスイッチがオフであることを示している。つまり、オンとなるスイッチの組合せの欄にないスイッチは、オフである。
【００６３】
［１−３．制御回路］
図１３は、入力装置１００のブロック図である。
【００６４】
入力装置１００は、制御回路１８０と、スイッチ１６１、１７１〜１７８とを備える。
【００６５】
制御回路１８０は、図１２で示されるテーブルを、例えば不揮発性メモリに記憶しており、不揮発性メモリから当該テーブルを読み出して、読み出した当該テーブルと各スイッチ１６１、１７１〜１７８の出力結果とを用いて、入力方向を特定し、テーブルで示される出力信号を出力する。制御回路１８０は、例えば、スイッチ１６１、１７１、１７８がオンとなり、他のスイッチがオフのままである場合、ノブ１１０の移動方向が方向Ｄ１であると特定し、信号Ｓ１を出力する。制御回路１８０は、同様に、各スイッチがオンとなった組合せが図１２で示されるテーブルを用いて特定された場合、当該組合せに当該テーブルにおいて対応付けられている方向の入力がノブ１１０によって受け付けられたと判断し、信号Ｓ１〜Ｓ８の中から当該組合せに当該テーブルにおいて対応付けられている信号を出力する。制御回路１８０により出力された出力信号は、例えば、メニューを選択するために表示されている強調表示を、出力信号により示される方向に移動させるための制御信号として機能する。制御回路１８０は、例えば、所定のプログラムを記憶している不揮発性メモリと、所定のプログラムを実行するプロセッサとを有していてもよい。制御回路１８０は、例えば、専用回路であってもよい。
【００６６】
［１−４．効果など］
本実施の形態に係る入力装置１００によれば、スイッチ１７１〜１７８のいずれか１つへの入力が行われれば、ノブ１１０にクリック感を付与するスイッチ１６１がオンとなる。このため、操作者は、ノブ１１０をどの方向に移動させても、スイッチ１６１から付与されたクリック感をノブ１１０から受ける。また、入力装置１００は、異なる８方向への入力を、９つのスイッチで受け付ける。よって、入力装置１００は、異なる８方向への入力を受け付けた場合であっても、少ない数のスイッチで、操作者にばらつきの少ない操作感触を付与することができる。
【００６７】
［１−５．変形例］
上記実施の形態１では、第２グループに含まれる８つのスイッチ１７１〜１７８のうちの２つのスイッチがオンとなった場合の組合せを用いて、ノブ１１０に入力された方向を特定するとしたが、これに限らない。例えば、図１４および図１５に示すように、第２グループに含まれる８つのスイッチ２７１〜２７８のうちの１つのスイッチがオンになったことを用いて、ノブ１１０に入力された方向を特定してもよい。
【００６８】
図１４は、実施の形態１の変形例における、スライドプレート２１３の８つの突出部２３５ａ〜２３５ｈと、スイッチ２７１〜２７８との関係を説明するための図である。図１５は、実施の形態１の変形例１における、入力方向と、オンとなるスイッチの組合せとの関係を示すテーブルである。
【００６９】
図１４に示すように、８つの突出部２３５ａ〜２３５ｈは、それぞれ、スイッチ２７１〜２７８に１対１で対応している。具体的には、突出部２３５ａ〜２３５ｈは、それぞれ、スイッチ２７１〜２７８を押圧することで各スイッチをオンにするための部位である。なお、この場合も実施の形態と同様に、スイッチ２６１は、ＸＹ平面における複数の方向のうちの全ての方向へのノブの移動によってオンとなる。
【００７０】
実施の形態１と同様に図１０に示す方向Ｄ１〜Ｄ８へのスライドプレート２１３の移動によって、オンとなるスイッチの組合せは、図１５に示される。これにより、スライドプレート２１３が移動した方向は、図１５に示すように、スイッチ２７１〜２７８のうちでオンになった１つのスイッチで特定することができる。なお、図１２と同様に、図１５で示されるテーブルは、オンとなるスイッチの組合せ以外のスイッチがオフであることを示している。つまり、オンとなるスイッチの組合せの欄にないスイッチは、オフである。
【００７１】
変形例１の構成の場合、制御回路１８０は、例えば、スイッチ２６１、２７１がオンとなり、他のスイッチがオフのままである場合、ノブ１１０の移動方向が方向Ｄ１であると特定し、信号Ｓ１を出力する。制御回路１８０は、同様に、各スイッチがオンとなった組合せが図１５で示されるテーブルを用いて特定された場合、当該組合せに当該テーブルにおいて対応付けられている方向の入力がノブ１１０によって受け付けられたと判断し、当該組合せに当該テーブルにおいて対応付けられている信号を出力する。
【００７２】
また、上記実施の形態１では、スイッチ１６１は、ＸＹ平面における複数の方向のうちの全ての方向へのノブ１１０の移動によってオンとなるとしたが、これに限らずに、第２グループに属するスイッチが押圧される方向にノブ１１０が移動したときにオンになればよい。つまり、第１方向へのノブ１１０の移動を第１移動とし、第２方向へのノブ１１０の移動を第２移動としたとき、第２グループに属するスイッチが第１移動および第２移動のうちの第１移動のみによってオンとなる第２スイッチと、第１移動および第２移動のうちの第２移動のみによってオンとなる第３スイッチとにより構成される場合、スイッチ１６１は、基準位置から第１方向へのノブ１１０の移動である第１移動、または、基準位置から第１方向とは異なる第２方向へのノブ１１０の移動である第２移動によってオンとなってもよい。
【００７３】
また、上記実施の形態１に係る入力装置１００では、ＸＹ平面上の互いに異なる８つの方向を受け付けるとしたが、これに限らずに、ＸＹ平面上の互いに異なる４つの方向を受け付けてもよいし、ＸＹへ面上の互いに異なる２つの方向を受け付けてもよい。入力装置１００は、互いに異なる２以上の方向を受け付ける構成であればよく、上記の構成に限るものではない。また、ＸＹ平面上の互いに異なる４つの方向を受け付ける場合、例えば、図１４で示した構成における８つのスイッチ２７１〜２７８のうち、図１０に示す方向Ｄ１、方向Ｄ３、方向Ｄ５および方向Ｄ７に対応する４つのスイッチ２７１、２７３、２７５、２７７のみを備える構成としてもよいし、方向Ｄ２、方向Ｄ４、方向Ｄ６および方向Ｄ８に対応する４つのスイッチ２７２、２７４、２７６、２７８のみを備える構成としてもよい。また、ＸＹ平面上の互いに異なる２つの方向を受け付ける場合、例えば、図１４で示した構成における８つのスイッチ２７１〜２７８のうち、図１０に示す方向Ｄ１および方向Ｄ５に対応する２つのスイッチ２７１、２７５のみを備える構成としてもよいし、方向Ｄ３および方向Ｄ７に対応する２つのスイッチ２７３、２７７のみを備える構成としてもよい。
【００７４】
（実施の形態２）
次に、実施の形態２について図１６〜図２３を用いて説明する。
【００７５】
［２−１．入力装置の構成］
図１６は、実施の形態２に係る入力装置３００の分解斜視図である。
【００７６】
実施の形態２に係る入力装置３００は、図１６に示すように、実施の形態１に係る入力装置１００と比較して、主に、基板３１６に設けられるスイッチ３６１、３６２、３７１〜３７４が異なる。このため、これらのスイッチ３６１、３６２、３７１〜３７４を押圧するためのスライドプレート３１３および支持部材３１５の各構成も異なる。また、入力装置３００は、さらに、スイッチ３６１、３６２をそれぞれ押圧する押圧部材３５１、３５２を備える点が異なる。なお、スイッチ３６１、３６２は、スイッチ１６１と同様のスイッチである。つまり、スイッチ３６１、３６２は、第１グループに含まれる。また、スイッチ３７１〜３７４は、スイッチ１７１〜１７８と同様のスイッチである。つまり、スイッチ３７１〜３７４は、第２グループに含まれる。一方で、操作部材３１１、カバー３１２、スライドアーム３１４および締結部材３１７は、それぞれ、実施の形態１の操作部材１１１、カバー１１２、スライドアーム１１４および締結部材１１７と同様の構成である。
【００７７】
図１７は、実施の形態２に係る入力装置３００の、図３における入力装置１００のＸＶＩＩ−ＸＶＩＩ断面図に対応する断面図である。図１８は、図１９におけるスイッチ３６１付近の領域Ａ２を拡大した図であり、スライドプレート３１３が方向Ｄ５（Ｙ軸マイナス方向）に移動してスイッチ３６１がオンとなる様子を説明するための図である。図１９は、実施の形態２に係る入力装置３００の、図３における入力装置１００のＸＩＶ−ＸＩＶ断面図に対応する断面図である。図２０は、図１９におけるスイッチ３６１付近の領域Ａ３を拡大した図であり、スライドプレート３１３が方向Ｄ４に移動してもスイッチ３６１がオンとならない様子を説明するための図である。
【００７８】
なお、図１７は、入力装置３００において、ＹＺ平面でスイッチ３６１の位置を切断した場合の断面図である。また、図１９は、入力装置３００において、図１０におけるＤ４方向（または方向Ｄ８）、および、Ｚ軸方向で規定される平面でスイッチ３６１の位置を切断した場合の断面図である。
【００７９】
スライドプレート３１３は、図１８に示すように、スイッチ３６１にＺ軸方向で対向する位置において、スライドプレート３１３が図１０で示す方向Ｄ１および方向Ｄ５に移動した時に、押圧部材３５１をＺ軸マイナス方向に押圧する押圧部３３１を有する。また、押圧部３３１は、図示しないが、方向Ｄ３および方向Ｄ７に移動した時に、押圧部材３５１をＺ軸マイナス方向に押圧する。ここで、押圧部材３５１は、略円柱形状の部材であり、Ｚ軸プラス方向に突出している略円錐形状の突起部３５１ａを有する。押圧部材３５１は、スイッチ３６１のＺ軸プラス方向側に配置される。
【００８０】
押圧部３３１は、方向Ｄ１、方向Ｄ３、方向Ｄ５および方向Ｄ７に移動した時に、押圧部材３５１の突起部３５１ａをＺ軸マイナス方向に押圧するための複数の傾斜面３３１ａと、方向Ｄ２、方向Ｄ４、方向Ｄ６および方向Ｄ８に移動した時に押圧部材３５１の３５１ａを押圧しないための溝部３３１ｂとを有する。複数の傾斜面３３１ａは、突起部３５１ａの方向Ｄ１側、方向Ｄ３側、方向Ｄ５側および方向Ｄ７側のそれぞれに形成されており、スライドプレート３１３が方向Ｄ１、方向Ｄ３、方向Ｄ５および方向Ｄ７に移動した時に、突起部３５１ａをＺ軸マイナス方向に押圧するように構成されている。例えば、図１８の（ｂ）に示すように、スライドプレート３１３が方向Ｄ５（Ｙ軸マイナス方向）に移動すると、押圧部材３５１の突起部３５１ａは、突起部３５１ａのＹ軸プラス方向側に配置されている傾斜面３３１ａによりＺ軸マイナス方向に押圧されて、Ｚ軸マイナス方向に移動する。これにより、押圧部材３５１は、Ｚ軸マイナス方向に移動し、スイッチ３６１を押圧する。このため、スイッチ３６１は、オンとなる。
【００８１】
溝部３３１ｂは、方向Ｄ２、方向Ｄ４、方向Ｄ６および方向Ｄ８に沿って形成されており、スライドプレート３１３が方向Ｄ２、方向Ｄ４、方向Ｄ６および方向Ｄ８に移動しても押圧部３３１が突起部３５１ａに当たらないように構成されている。例えば、図２０の（ｂ）に示すように、スライドプレート３１３が方向Ｄ４に移動しても押圧部材３５１の突起部３５１ａは、溝部３３１ｂの内側を通過するため、押圧部３３１によってＺ軸マイナス方向に押圧されない。このため、スライドプレート３１３が方向Ｄ４に移動しても、スイッチ３６１は、押圧されずオフのままとなる。
【００８２】
このため、スイッチ３６１は、ノブ３１０が方向Ｄ１、方向Ｄ３、方向Ｄ５および方向Ｄ７に移動したときにオンとなり、ノブ３１０が方向Ｄ２、方向Ｄ４、方向Ｄ６および方向Ｄ８に移動してもオフのままとなる。反対に、スイッチ３６２は、ノブ３１０が方向Ｄ２、方向Ｄ４、方向Ｄ６および方向Ｄ８に移動したときにオンとなり、ノブ３１０が方向Ｄ１、方向Ｄ３、方向Ｄ５および方向Ｄ７に移動してもオフのままとなる。スイッチ３６２に対する押圧部材３５２は、スイッチ３６１に対する押圧部材３５１が対応するスライドプレート３１３の押圧部３３１の構成を４５度回転させた形状と同様の押圧部（図示せず）に対応する。
【００８３】
次に、スライドプレート３１３と基板３１６との関係について説明する。
【００８４】
図２１は、実施の形態２における、スライドプレート３１３の４つの突出部３３５ａ〜３３５ｄと、スイッチ３７１〜３７４との関係を説明するための図である。図２２は、スライドプレート３１３が方向Ｄ１に移動した場合にオンになるスイッチを示す図である。
【００８５】
図２１に示すように、スライドプレート３１３は、スイッチ３７１〜３７４にそれぞれ１対１で対応している４つの突出部３３５ａ〜３３５ｄを有する。具体的には、突出部３３５ａ〜３３５ｄは、それぞれ、スイッチ３７１〜３７４を押圧することで各スイッチをオンにするための部位である。例えば、スライドプレート３１３は、図２２に示すように、図１０で示す方向Ｄ１に移動すると、スイッチ３７１が押圧されてオンとなる。また、上述したように、方向Ｄ１、方向Ｄ３、方向Ｄ５および方向Ｄ７のいずれかにスライドプレート３１３が移動するとスイッチ３６１はオンとなり、かつ、スイッチ３６２はオフのままとなる。このため、スライドプレート３１３が方向Ｄ１に移動した場合にスイッチ３６１はオンとなり、スイッチ３６２はオフのままとなる。
【００８６】
図１０に示す方向Ｄ１〜Ｄ８へのスライドプレート３１３の移動によって、オンとなるスイッチの組合せは、図２３に示される。図２３は、実施の形態２における、入力方向と、オンとなるスイッチの組合せとの関係を示すテーブルである。つまり、スライドプレート３１３が移動した方向は、図２３に示すように、スイッチ３６１、３６２のうちでオンになったスイッチと、スイッチ３７１〜３７４のうちでオンになったスイッチとの組合せで特定することができる。なお、図２３で示されるテーブルは、オンとなるスイッチの組合せ以外のスイッチがオフであることを示している。つまり、オンとなるスイッチの組合せの欄にないスイッチは、オフである。
【００８７】
実施の形態２に係る入力装置３００の制御回路３８０は、図２３で示されるテーブルを記憶しており、当該テーブルと各スイッチ３６１、３６２、３７１〜３７４の出力結果とを用いて、入力方向を特定し、テーブルで示される出力信号を出力する。制御回路３８０は、例えば、スイッチ３６１、３７１がオンとなり、他のスイッチがオフのままである場合、ノブ１１０の移動方向が方向Ｄ１であると特定し、信号Ｓ１を出力する。制御回路３８０は、同様に、各スイッチがオンとなった組合せが図２３で示されるテーブルを用いて特定された場合、当該組合せに当該テーブルにおいて対応付けられている方向の入力がノブ１１０によって受け付けられたと判断し、当該組合せに当該テーブルにおいて対応付けられている信号を出力する。制御回路３８０は、制御回路１８０と同様の構成である。
【００８８】
［２−２．効果など］
本実施の形態に係る入力装置３００によれば、スイッチ３７１〜３７４のいずれかへの入力が行われれば、ノブ３１０にクリック感を付与するスイッチ３６１またはスイッチ３６２のいずれか１つがオンとなる。このため、操作者は、ノブ３１０をどの方向に移動させても、スイッチ３６１またはスイッチ３６２から付与されたクリック感をノブ３１０から受ける。このようにクリック感をノブ３１０に与えるスイッチ３６１および３６２に分けているため、クリック感を付与するスイッチ３６１、３６２がオンとなる回数を低減することができ、スイッチ３６１、３６２の寿命を延ばすことができる。また、入力装置３００は、異なる８方向への入力を、６つのスイッチで受け付ける。よって、入力装置３００は、異なる８方向への入力を受け付けた場合であっても、少ない数のスイッチで、操作者に良好な操作感触を付与することができる。
【００８９】
［２−３．変形例］
また、上記実施の形態２に係る入力装置３００では、ＸＹ平面上の互いに異なる８つの方向を受け付けるとしたが、これに限らずに、ＸＹ平面上の互いに異なる４つの方向を受け付けてもよいし、ＸＹへ面上の互いに異なる２つの方向を受け付けてもよい。入力装置３００は、互いに異なる２以上の方向を受け付ける構成であればよく、上記の構成に限るものではない。
【００９０】
（その他の実施の形態）
上記実施の形態１およびその変形例に係る入力装置１００において、ノブ１１０は、さらに、Ｚ軸マイナス方向に移動自在であってもよい。例えば、図８の（ａ）に示す状態において、スライドプレート１１３は、Ｚ軸マイナス方向に移動自在であってもよい。このとき、スライドプレート１１３の突出部１３６に収容されている押圧部材１５６には、スライドプレート１１３がＺ軸マイナス方向に移動することによりＺ軸マイナス方向に押圧されるため、介在部１５８をＺ軸マイナス方向に押圧する。よって、スイッチ１６１は、介在部１５８によってＺ軸マイナス方向に押圧されるためオンとなる。つまり、スイッチ１６１は、Ｚ軸マイナス方向へのノブ１１０の移動によってオンとなる。
【００９１】
一方で、スイッチ１７１〜１７８は、ＸＹ平面上の方向へのノブ１１０の移動によってオンとなる構成であるため、ノブ１１０がＺ軸マイナス方向に移動してもオンにはならない。このため、制御回路１８０は、スイッチ１６１がオンとなり、スイッチ１７１〜１７８がオフのままである場合に、ノブ１１０の移動方向がＺ軸マイナス方向であると特定し、Ｚ軸マイナス方向の入力が為されたことを示す信号を出力する。このため、入力装置１００は、さらに、異なる方向への入力を受け付けることができる。
【００９２】
この場合、制御回路１８０は、図１２に示したテーブルにさらに、スイッチ１６１のみがオンの場合、入力方向がＺ軸マイナス方向であり、Ｚ軸マイナス方向の入力が為されたことを示す信号を出力することが対応付けられたテーブルを用いることとなる。なお、Ｚ軸マイナス方向の入力が為されたことを示す信号は、例えば、メニューにおいて強調表示されることで選択されている項目を決定し、実行する信号として機能する。
【００９３】
なお、上記のことは実施の形態２に係る入力装置３００のノブ３１０に対しても同様に言える。この場合、制御回路１８０は、スイッチ３６１、３６２がオンとなり、スイッチ３７１〜３７４がオフのままである場合に、ノブ３１０の移動方向がＺ軸マイナス方向であると特定し、Ｚ軸マイナス方向の入力が為されたことを示す信号を出力する。
【００９４】
上記実施の形態１、２およびその変形例では、第１グループに含まれるスイッチは、押圧されると、押圧の主体となった部材にクリック感を付与するスイッチにより構成されるとし、かつ、第２グループに含まれるスイッチは、押圧されても、押圧の主体となった部材にクリック感を付与しないスイッチにより構成されるとしたがこれに限らない。第１グループに含まれるスイッチが押圧されても、押圧の主体となった部材にクリック感を付与しないスイッチにより構成され、かつ、第２グループに含まれるスイッチが押圧されると、押圧の主体となった部材にクリック感を付与するスイッチにより構成されてもよい。
【００９５】
以上、本開示の一つまたは複数の態様に係る入力装置について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の一つまたは複数の態様の範囲内に含まれてもよい。
【産業上の利用可能性】
【００９６】
本開示は、多方向の入力に対応しつつ、少ない数のスイッチで、良好な操作感触を操作者に付与できる入力装置などとして有用である。
【符号の説明】
【００９７】
２  ステアリング入力装置
４  自動車
６  車載機器
８  ステアリングホイール
１２  リム
１４  スポーク
１６  ホーンスイッチカバー
１８  指
２０  ダッシュボード
１００、３００  入力装置
１１０、３１０  ノブ
１１１、３１１  操作部材
１１２、３１２  カバー
１１３、２１３、３１３  スライドプレート
１１４、３１４  スライドアーム
１１５、３１５  支持部材
１１６、２１６、３１６  基板
１１７、３１７  締結部材
１３１〜１３４  溝部
１３５ａ〜１３５ｈ、２３５ａ〜２３５ｈ、３３５ａ〜３３５ｄ  突出部
１３６  突出部
１３６ａ  貫通孔
１４１〜１４４  アーム
１５１〜１５４  溝部
１５６、３５１、３５２  押圧部材
１５６ａ  円柱部
１５６ｂ  軸部
１５６ｃ、３５１ａ  突起部
１５７  バネ
１５８  介在部
１５８ａ  穴部
１６１、１７１〜１７８、２６１、２７１〜２７８、３６１、３６２、３７１〜３７４  スイッチ
１８０、３８０  制御回路
３３１  押圧部
３３１ａ  傾斜面
３３１ｂ  溝部
【図１】
2020119779.tif 000003
【図２】
2020119779.tif 000004
【図３】
2020119779.tif 000005
【図４】
2020119779.tif 000006
【図５】
2020119779.tif 000007
【図６】
2020119779.tif 000008
【図７】
2020119779.tif 000009
【図８】
2020119779.tif 000010
【図９】
2020119779.tif 000011
【図１０】
2020119779.tif 000012
【図１１】
2020119779.tif 000013
【図１２】
2020119779.tif 000014
【図１３】
2020119779.tif 000015
【図１４】
2020119779.tif 000016
【図１５】
2020119779.tif 000017
【図１６】
2020119779.tif 000018
【図１７】
2020119779.tif 000019
【図１８】
2020119779.tif 000020
【図１９】
2020119779.tif 000021
【図２０】
2020119779.tif 000022
【図２１】
2020119779.tif 000023
【図２２】
2020119779.tif 000024
【図２３】
2020119779.tif 000025